(57)【要約】【課題】複数種類の賞品をまとめて収納する収納部内において間違った種類の賞品が装填されることを防止できる賞品払出装置を提供する。【解決手段】賞品払出装置３は、装置本体１１と、装置本体１１に設けられて複数種類の賞品Ｐをまとめて収納する収納部１２と、収納部１２内の複数種類の賞品Ｐを装置本体１１外に払い出すための払出口１３Ｃと、収納部１２内に装填すべき賞品Ｐの種類についての情報を表示する表示部６１とを含む。【選択図】図１
2018202045.tif 000002
【特許請求の範囲】
【請求項１】
装置本体と、
前記装置本体に設けられ、複数種類の賞品をまとめて収納する収納部と、
前記収納部内の複数種類の賞品を前記装置本体外に払い出すための払出口と、
前記収納部内に装填すべき賞品の種類についての情報を表示する表示部とを含む、賞品払出装置。
【請求項２】
前記収納部内に設けられた複数の装填部であって、前記収納部内で賞品が装填される複数の装填部と、
前記収納部内に賞品を装填するための装填口とをさらに含み、
前記表示部は、前記複数の装填部のうち前記装填口にある装填部に装填すべき賞品の種類についての情報を表示する、請求項１に記載の賞品払出装置。
【請求項３】
前記複数の装填部を前記装填口に対して相対移動させる移動機構をさらに含む、請求項２に記載の賞品払出装置。
【請求項４】
前記複数の装填部が、環状に並んで配置され、
前記移動機構は、前記複数の装填部を周回移動させる、請求項３に記載の賞品払出装置。
【請求項５】
前記装填口を開閉する扉と、
前記扉が前記装填口を閉じると前記複数の装填部の周回移動が開始するように前記移動機構を制御し、前記扉が前記装填口を開いたときには前記複数の装填部の周回移動が停止しているように前記移動機構を制御する制御部とをさらに含み、
前記扉が前記装填口を閉じてから開くまでに、前記表示部は、周回移動によって次に前記装填口にくる前記装填部に装填すべき賞品の種類についての情報の表示を開始する、請求項４に記載の賞品払出装置。
【請求項６】
前記装填口は、前記収納部の上面に設けられ、
前記収納部は、前記装置本体内に収容される収容位置から、少なくとも前記装填口が前記装置本体外に配置される引出位置へ横方向に引き出し可能である、請求項４または５に記載の賞品払出装置。
【請求項７】
前記装置本体は、前記払出口が形成された天板を有し、
前記表示部は、前記天板の上面に設けられている、請求項６に記載の賞品払出装置。
【発明の詳細な説明】
【技術分野】
【０００１】
この発明は、賞品払出装置に関する。
【背景技術】
【０００２】
下記特許文献１には、遊技店舗のフロアに据え置かれて景品の払い出しを行う景品払出装置が開示されている。景品払出装置は、その外郭をなすキャビネットと、キャビネット内において幅方向に並んで収容される複数の景品払出ユニットとを含む。各景品払出ユニットには、景品払出ユニット毎に定められた種類の景品が一種類ずつ収容される。景品払出ユニットへの景品の補充時には、店員が、対象の景品払出ユニットをキャビネットから引き出して、この景品払出ユニットに収容された景品収容カセットに、定められた種類の景品を装填する。
【先行技術文献】
【特許文献】
【０００３】
【特許文献１】特開２０１５−６４０６号公報
【発明の概要】
【発明が解決しようとする課題】
【０００４】
特許文献１において定められた一種類の景品を収容する景品払出ユニットとは異なり、複数種類の賞品をまとめて収納する収納部が想定される。この収納部内には複数の収納領域が存在し、各収納領域には、収納領域毎に定められた種類の賞品が装填される。このような収納部では、間違った種類の賞品が各収納領域に装填される虞がある。
【０００５】
この発明は、かかる背景のもとでなされたもので、複数種類の賞品をまとめて収納する収納部内において間違った種類の賞品が装填されることを防止できる賞品払出装置を提供することを目的とする。
【課題を解決するための手段】
【０００６】
本発明は、装置本体と、前記装置本体に設けられ、複数種類の賞品をまとめて収納する収納部と、前記収納部内の複数種類の賞品を前記装置本体外に払い出すための払出口と、前記収納部内に装填すべき賞品の種類についての情報を表示する表示部とを含む、賞品払出装置である。
【０００７】
また、本発明は、前記収納部内に設けられた複数の装填部であって、前記収納部内で賞品が装填される複数の装填部と、前記収納部内に賞品を装填するための装填口とをさらに含み、前記表示部は、前記複数の装填部のうち前記装填口にある装填部に装填すべき賞品の種類についての情報を表示することを特徴とする。
【０００８】
また、本発明は、前記複数の装填部を前記装填口に対して相対移動させる移動機構をさらに含むことを特徴とする。
【０００９】
また、本発明は、前記複数の装填部が、環状に並んで配置され、前記移動機構は、前記複数の装填部を周回移動させることを特徴とする。
【００１０】
また、本発明は、前記装填口を開閉する扉と、前記扉が前記装填口を閉じると前記複数の装填部の周回移動が開始するように前記移動機構を制御し、前記扉が前記装填口を開いたときには前記複数の装填部の周回移動が停止しているように前記移動機構を制御する制御部とをさらに含み、前記扉が前記装填口を閉じてから開くまでに、前記表示部は、周回移動によって次に前記装填口にくる前記装填部に装填すべき賞品の種類についての情報の表示を開始することを特徴とする。
【００１１】
また、本発明は、前記装填口は、前記収納部の上面に設けられ、前記収納部は、前記装置本体内に収容される収容位置から、少なくとも前記装填口が前記装置本体外に配置される引出位置へ横方向に引き出し可能であることを特徴とする。
【００１２】
また、本発明は、前記装置本体は、前記払出口が形成された天板を有し、前記表示部は、前記天板の上面に設けられていることを特徴とする。
【発明の効果】
【００１３】
本発明によれば、収納部内にまとめて収納された複数種類の賞品が払出口から装置本体外に払い出される賞品払出装置において、表示部には、収納部内に装填すべき賞品の種類についての情報が表示される。これにより、収納部内において賞品の種類毎に定められた各収納領域に装填すべき賞品の種類を、表示部に表示された情報によって把握できるので、収納部内において間違った種類の賞品が装填されることを防止できる。
【００１４】
また、本発明によれば、装填口から収納部内の各装填部に賞品が装填される賞品払出装置において、表示部には、複数の装填部のうち装填口にある装填部に装填すべき賞品の種類についての情報が表示される。これにより、現時点において装填口にある装填部に装填すべき賞品の種類を、表示部に表示された情報によって把握できるので、収納部内の各装填部において間違った種類の賞品が装填されることを防止できる。
【００１５】
また、本発明によれば、移動機構によって、複数の装填部が装填口に対して相対移動してもよい。その場合、環状に並んで配置された複数の装填部が、周回移動してもよい。複数の装填部が周回移動する場合には、扉が装填口を閉じると複数の装填部の周回移動が開始し、扉が装填口を開いたときには複数の装填部の周回移動が停止しているように移動機構が制御される。この場合、扉が装填口を閉じてから開くまでに、表示部では、周回移動によって次に装填口にくる装填部に装填すべき賞品の種類についての情報の表示が開始される。これにより、装填口が開くまでに、次に装填口にくる装填部に装填すべき賞品の種類を、表示部に表示された情報によって事前に把握できるので、収納部内の各装填部において間違った種類の賞品が装填されることを防止できる。
【００１６】
また、本発明によれば、収納部が引出位置へ横方向に引き出されると、収納部の上面の装填口が装置本体外に配置されるので、装填口から収納部内に賞品を装填することができる。
【００１７】
また、本発明によれば、表示部が、装置本体において払出口が形成された天板の上面に設けられているので、引出位置の収納部の上面の装填口から収納部内に賞品を装填しようとする使用者にとって、表示部が視界に入りやすく、表示部に表示された情報が見やすい。
【図面の簡単な説明】
【００１８】
【図１】図１は、本発明の一実施形態に係る賞品取扱システムの模式的な斜視図である。
【図２】図２は、賞品取扱システムに用いられる通い箱の斜視図である。
【図３】図３は、賞品取扱システムを構成する賞品払出装置における収納部の模式的な斜視図である。
【図４】図４は、賞品の識別計数処理が可能な状態における賞品払出装置の内部の模式的な右側面図である。
【図５】図５は、収納部の内部の模式的な平面図である。
【図６】図６は、賞品払出装置の電気的構成を示すブロック図である。
【図７】図７は、賞品払出装置の店側表示部における表示内容の一例を示す模式図である。
【図８】図８は、賞品の繰出払出処理が可能な状態における賞品払出装置の内部の模式的な右側面図である。
【図９】図９は、賞品払出装置の天板の一部を示す模式的な平面図である。
【図１０】図１０は、賞品払出装置の天板における表示部の表示内容の一例を示す模式図である。
【図１１】図１１は、賞品の補充処理が可能な状態における賞品払出装置の内部の模式的な右側面図である。
【図１２】図１２は、店側表示部における表示内容の一例を示す模式図である。
【図１３】図１３は、補充処理における表示部およびその周辺の模式的な平面図である。
【図１４】図１４は、補充処理における表示部およびその周辺の模式的な平面図である。
【図１５】図１５は、補充処理における表示部およびその周辺の模式的な平面図である。
【図１６】図１６は、表示部の表示内容の一例を示す模式図である。
【発明を実施するための形態】
【００１９】
以下には、図面を参照して、この発明の実施形態について具体的に説明する。図１は、本発明の一実施形態に係る賞品取扱システム１の模式的な斜視図である。賞品取扱システム１は、例えばパチンコ店等の遊技施設に設置され、賞品管理装置２と賞品払出装置３とを含む。賞品管理装置２は、特殊賞品と呼ばれる賞品Ｐや、菓子等の一般賞品の在庫等を管理するＰＯＳ端末であって、遊技施設における受付カウンターＣ上に設置される。
【００２０】
賞品Ｐの一例は、例えば数ミリ程度の厚さを有するカードである。この実施形態では、大賞品、中賞品および小賞品といった、金銭価値に応じた３種類の賞品Ｐが登場するが、大賞品よりも金銭価値の高い特大賞品が存在してもよい。賞品Ｐの表面の色は、賞品Ｐの種類毎に異なっている。一例として、大賞品の表面は赤色であり、中賞品の表面は青色であり、小賞品の表面は黄色である。賞品Ｐは、通い箱４に収容された状態にて市場に流通する。
【００２１】
賞品払出装置３は、賞品Ｐを払い出す装置であり、受付カウンターＣのフロアにおいて賞品管理装置２に隣接して配置されている。賞品払出装置３は、賞品Ｐを保管する機能を有する賞品保管装置でもあり、ＬＡＮ（図示せず）等を介して賞品管理装置２に対して通信可能に接続されている。なお、図１では、１台の賞品管理装置２と１台の賞品払出装置３が接続されることによって賞品取扱システム１を構成しているが、賞品取扱システム１では、複数台の賞品管理装置２が１台の賞品払出装置３に接続されてもよいし、逆に、複数台の賞品払出装置３が１台の賞品管理装置２に接続されてもよい。
【００２２】
賞品Ｐを払い出す際には、遊技施設において受付カウンターＣを担当する係員（以下では使用者という）が、賞品管理装置２に設けられたキーボードやタッチパネル等の操作部２Ａを操作する。すると、賞品管理装置２が賞品払出装置３に対して賞品Ｐの払い出しを指示するので、賞品払出装置３は、指示に応じた種類および個数の賞品Ｐを払い出す。また、賞品払出装置３における種類毎の賞品Ｐの在庫に関する情報が賞品払出装置３から賞品管理装置２に入力されるので、賞品管理装置２は、賞品Ｐの在庫を更新する。一方、遊技客によってパチンコ玉等の遊技媒体と一般賞品との交換を依頼された使用者は、指定された一般賞品を操作部２Ａの操作によって選択してから、この一般賞品を遊技客に手渡す。賞品管理装置２は、操作部２Ａの操作に応じて、この一般賞品の在庫を更新する。後述するように、賞品Ｐは、通い箱４に収容された状態のまま賞品払出装置３内に装填され、賞品払出装置３から払い出される。すなわち、使用者は、賞品Ｐを、手作業によって通い箱４から取り出して賞品払出装置３内に移し替える必要がない。
【００２３】
賞品払出装置３は、その外殻をなすボックス状に形成された装置本体１１と、装置本体１１に設けられた単数または複数（ここでは３つ）の収納部１２とを含む。なお、図１の紙面の左右方向は、賞品払出装置３の左右方向Ｘと一致し、図１の紙面に略直交する方向は、賞品払出装置３の前後方向Ｙと一致し、図１の紙面の上下方向は、賞品払出装置３の上下方向Ｚと一致している。左右方向Ｘおよび前後方向Ｙは、横方向に含まれる。左右方向Ｘは、左側Ｘ１と右側Ｘ２とを含み、前後方向Ｙは、図１の紙面の手前側に一致した前側Ｙ１と、図１の紙面の奥側に一致した後側Ｙ２とを含み、上下方向Ｚは、上側Ｚ１と下側Ｚ２とを含む。
【００２４】
装置本体１１は、天板１３と、この天板１３を支持する左右一対の側板１４とを有している。天板１３の下面には、前後方向Ｙにスライド可能な複数（例えば収納部１２と同数）の補助テーブル１５が、左右方向Ｘに並んで設けられている。前側Ｙ１へ引き出された補助テーブル１５は、天板１３を拡張するために機能するので、使用者は、天板１３を広く使用することができる。これらの補助テーブル１５の下面には、前後方向Ｙにスライド可能な１つの引出し１６が設けられている。引出し１６には、事務用品等の備品や、遊技施設内の機器についての取扱説明書等の書類が収納される。装置本体１１には、その前面１１Ａのほぼ全域に亘る開口１１Ｂが形成されている。開口１１Ｂの上縁は、引出し１６によって仕切られている。開口１１Ｂは、装置本体１１の内部空間に連通している。
【００２５】
天板１３は、透明な板であり、より具体的にはアクリル板である。天板１３の上面は、装置本体１１の天面を構成している。天板１３の上面は、その略前半分を占める水平面である払出面１３Ａと、払出面１３Ａの後側Ｙ２において左右方向Ｘに延び、払出面１３Ａよりも一段高い段部１３Ｂとを含む。払出面１３Ａにおける後寄りの領域には、左右方向Ｘに長手の払出口１３Ｃが形成されている。払出口１３Ｃは、収納部１２と同数（ここでは３つ）存在し、左右方向Ｘに並んで配置されている。
【００２６】
賞品払出装置３は、払出口１３Ｃを開閉するシャッタ１７と、店側表示部１８と、客側表示部１９とをさらに含む。シャッタ１７は、左右方向Ｘに長手の板状に形成され、払出口１３Ｃと同数存在する。各シャッタ１７は、対応する払出口１３Ｃを閉じた閉位置（図１参照）と、段部１３Ｂ内に後退して払出口１３Ｃを開いた開位置との間で前後方向Ｙにスライド可能である。各シャッタ１７は、モータ等の駆動部（図示せず）の駆動力によって開閉される。
【００２７】
店側表示部１８は、例えばタッチパネルによって構成され、段部１３Ｂに固定されて受付カウンターＣの使用者側に臨んでいる。店側表示部１８には、使用者向けの情報が表示される。客側表示部１９は、例えばタッチパネルによって構成され、段部１３Ｂに固定されている。客側表示部１９は、遊技媒体と賞品Ｐとの交換のために受付カウンターＣに来る遊技客側に臨んでいる。店側表示部１８および客側表示部１９は、装置本体１１に対して着脱可能であってもよい。
【００２８】
収納部１２は、賞品Ｐを通い箱４ごと収納するものである。この実施形態では、３つ収納部１２が左右方向Ｘに並んでいる。図１に示すように装置本体１１内に目一杯収容された状態における収納部１２は、前後方向Ｙにおける収容位置にある。図１に示すように全ての収納部１２が収容位置にある場合には、これらの収納部１２の前面が、面一となって開口１１Ｂを塞いだ状態にて、装置本体１１から前側Ｙ１に露出されている。収容位置にある各収納部１２の真上には、装置本体１１の払出面１３Ａにおけるいずれか１つの払出口１３Ｃが位置している。
【００２９】
各収納部１２は、前述した収容位置から、前側Ｙ１の引出位置へ前後方向Ｙに引き出し可能である。使用者は、各収納部１２の前面に設けられた取っ手１２Ａを操作することによって、収納部１２を引出位置まで引き出したり、収容位置まで押し込んだりすることができる。なお、収納部１２の移動は、使用者の手動によって行われてもよいし、装置本体１１内に設けられたモータ等の駆動装置により自動的に行われてもよい。装置本体１１には、各収納部１２を収容位置においてロックしたり、そのロックを解除したりするロック機構２０（後述する図６を参照）が設けられている。ロック機構２０として、公知の構成を用いることができる。
【００３０】
収納部１２について詳しく説明するのに先立って、通い箱４について説明する。図２は、通い箱４の斜視図である。通い箱４は、所定方向（図２では左右方向）に長手のボックス状に形成されていて、例えば樹脂製である。通い箱４は、対向配置された一対の側壁２１と、一対の側壁２１間に架設された少なくとも２つ（図２では６つ）の区画壁２２と、通い箱４の底をなす１つの閉塞壁２３とを一体的に含む。
【００３１】
一対の側壁２１は、通い箱４の長手方向Ｌにおいて長手の略長方形の板状に形成されていて、それぞれの板厚方向に沿って対向するように平行に配置されている。一対の側壁２１の対向方向は、通い箱４において長手方向Ｌに直交する短手方向Ｓである。また、通い箱４の深さ方向Ｄは、長手方向Ｌおよび短手方向Ｓの両方に直交している。
【００３２】
各区画壁２２は、長手方向Ｌに一致した板厚方向を有する略矩形の板状に形成されている。区画壁２２は、一対の側壁２１において長手方向Ｌにおける一端縁間と他端縁間とに１つずつ架設され、残りの区画壁２２は、長手方向Ｌに等間隔で並んだ状態で一対の側壁２１の途中部間に架設されている。そのため、通い箱４には、大きさの等しい略直方体状の５つの収容空間２４が、長手方向Ｌに等間隔で並んで形成されている。
【００３３】
閉塞壁２３は、深さ方向Ｄに一致した板厚方向を有し、長手方向Ｌにおいて長手の略長方形の板状に形成されている。閉塞壁２３は、深さ方向Ｄにおける一方側（図２では下側）から各側壁２１および各区画壁２２に対して接続されていて、各収容空間２４を当該一方側から塞いでいる。各収容空間２４において深さ方向Ｄにおける他方側（図２では上側）の端部は、略矩形状の出入口２５として、当該他方側へ開放されている。
【００３４】
通い箱４は、出入口２５とは別に設けられた開口部２６を含む。開口部２６は、長手方向Ｌにおいて各収容空間２４と同じ位置に一対ずつ、この実施形態では５対設けられている。つまり、開口部２６は、短手方向Ｓにおける通い箱４の両側において、５つずつ長手方向Ｌに等間隔で並んで設けられている。各対における２つの開口部２６は、長手方向Ｌで同じ位置にあって、短手方向Ｓにおける通い箱４の中心を基準として対称になるように構成されている。各開口部２６は、収容空間２４を外部に露出させるスリット状であり、短手方向Ｓにおける閉塞壁２３の端部を切り欠きつつ、短手方向Ｓにおいて当該端部と同じ側にある側壁２１を深さ方向Ｄに沿って切り欠いて、出入口２５の手前まで直線状に延びている。なお、開口部２６の形状は、任意に変更できる。
【００３５】
賞品Ｐを収容して流通しているときの通い箱４の姿勢は、図２に示すように各出入口２５が上を向いた基本姿勢である。賞品Ｐは、出入口２５を介して各収容空間２４に収容される。各収容空間２４の大きさが等しいので、賞品Ｐは、所定数ずつ（この実施形態では２０枚ずつ）、各収容空間２４に収容される。複数の賞品Ｐは、それぞれの板厚方向が短手方向Ｓと一致して閉塞壁２３から起立した姿勢で、各収容空間２４に積層状態で収容され、その状態の各賞品Ｐでは、出入口２５側の部分が出入口２５からはみ出ている。また、前述した所定数の賞品Ｐが収容された収容空間２４（図２における右端の収容空間２４を参照）では、短手方向Ｓの両端に位置する賞品Ｐの一部が、短手方向Ｓにおける同じ側の開口部２６から露出されている。この実施形態では、１つの通い箱４に収容される複数の賞品Ｐの種類は、大賞品、中賞品および小賞品のいずれか一種類である。変形例として、複数種類の賞品Ｐが１つの通い箱４に収容されてもよく、その場合の各収容空間２４には賞品Ｐが一種類ずつ収容される。
【００３６】
次に、収納部１２について詳しく説明する。図３は、収納部１２の模式的な斜視図である。各収納部１２は、前後方向Ｙに並ぶ２つの収納本体部３１と、これらの収納本体部３１の間に配置された繰出払出部３２とを含む。２つの収納本体部３１のうち、前側Ｙ１のものを前側収納本体部３１Ａといい、後側Ｙ２のものを後側収納本体部３１Ｂというがある。図３では、各収納本体部３１と繰出払出部３２との境界が１点鎖線で図示されている。収納本体部３１と繰出払出部３２とは一体化されていてもよいし、別々に存在して組み合わされることによって収納部１２を構成してもよい。
【００３７】
各収納本体部３１は、その外殻をなすボックス状に形成された本体３３を含む。収納部１２の上面を構成する本体３３の上面には、略矩形状の装填口３３Ａと、装填口３３Ａを開閉する略矩形板状の扉３３Ｂとが設けられている。扉３３Ｂは、前後方向Ｙにおいて繰出払出部３２に最も近い端部に設けられたヒンジ３３Ｃを介して本体３３に連結されていて、ヒンジ３３Ｃを中心として回動することによって開閉される。前側収納本体部３１Ａの本体３３の前面は、取っ手１２Ａが設けられた収納部１２の前面を構成している。
【００３８】
図４は、賞品払出装置３の内部の模式的な右側面図である。各収納部１２における各収納本体部３１の本体３３の内部には、左右一対の搬送体３４と、複数（ここでは６つ）の装填部３５とが設けられている。各搬送体３４は、無端状のチェーンまたはベルト（ここではチェーン）によって構成されており、左右方向Ｘから見て例えば略矩形の環状をなしている。搬送体３４は、モータ（図示せず）等の駆動部の駆動力を受けることによって、左右方向Ｘから見て時計回りおよび反時計回りのそれぞれの方向へ向けて周回移動する。この駆動部と搬送体３４とは、移動機構５０を構成する。
【００３９】
各装填部３５は、左右方向Ｘに長手のトレイ状に形成されている。各装填部３５の内部空間は、左右方向Ｘに長手となった通い箱４をちょうど収容できる大きさを有する。上向き姿勢の装填部３５には、その上面を全域に亘って開放した出入口３５Ａと、前後の両側壁のそれぞれを切り欠いたスリット状の開口部（図示せず）とが形成されている。この開口部は、装填部３５の前壁および後壁において、通い箱４の開口部２６（図２参照）に合致する位置に同数形成され、左右方向Ｘに並んで配置されている。
【００４０】
各装填部３５には、通い箱４が１つずつ装填される。これにより、通い箱４内の賞品Ｐは、通い箱４を介して収納部１２内で装填部３５に装填される。通い箱４が装填された装填部３５では、前述した開口部と通い箱４の開口部２６とが１つずつ整合している。また、１つの通い箱４内には、同じ種類の賞品Ｐが収納されるので、１つの装填部３５には、同じ種類の賞品Ｐが装填される。しかし、各収納部１２内の前側収納本体部３１Ａおよび後側収納本体部３１Ｂのそれぞれにおいて、装填部３５毎に、賞品Ｐの種類が異なってもよい。つまり、各収納部１２は、複数種類の賞品Ｐ（ここでは、大賞品、中賞品および小賞品）をまとめて収納している。
【００４１】
これらの装填部３５は、左右一対の搬送体３４の周回方向Ｒに沿って環状に並んで配置された状態で、これらの搬送体３４の間に架設されている。そのため、移動機構５０が作動することによって左右の搬送体３４が周回移動すると、これらの装填部３５は、搬送体３４とともに周回移動する。また、各装填部３５は、搬送体３４との連結部分において、左右方向Ｘに延びる回動軸線（図示せず）まわりに回動自在である。そのため、各装填部３５は、原則として、上向き姿勢を維持するように回動しながら、ゴンドラのように周回移動する。
【００４２】
図４を参照するとともに、収納部１２の内部の模式的な平面図である図５も参照して、各収納本体部３１の内部において前後方向Ｙにおける外側の端部（前側収納本体部３１Ａの場合は前端部であり、後側収納本体部３１Ｂの場合は後端部）には、識別計数部３６が配置されている。識別計数部３６は、左右方向Ｘに延びるホルダ３７と、ホルダ３７において繰出払出部３２を臨む側面（前側収納本体部３１Ａの場合は後面であり、後側収納本体部３１Ｂの場合は前面）に設けられた識別部３８および計数部３９とを含む。左右方向Ｘに隣り合った識別部３８および計数部３９が１つの組を構成し、各識別計数部３６では、この組が、左右方向Ｘに等間隔で５組並んでいる。識別計数部３６は、収納本体部３１の本体３３によって支持されており、ステッピングモータ等の駆動部（図示せず）の駆動力を受けて昇降する。
【００４３】
識別部３８の一例は、発光部（図示せず）および受光部（図示せず）を含んだカラーセンサである。この場合、発光部が、被検知物である賞品Ｐに対して光を照射し、その反射光を受光部が受光する。識別部３８は、この反射光をＲＧＢ値に変換して分析することによって賞品Ｐの表面の色を検知し、この検知結果に基づいて賞品Ｐの真偽や種類を識別する。なお、識別情報を記憶したＩＣチップが賞品Ｐに内蔵されていて、識別部３８は、非接触でＩＣチップから識別情報を読み取ることによって、賞品Ｐの真偽や種類を識別してもよい。
【００４４】
計数部３９の一例は、発光部（図示せず）および受光部（図示せず）を含んだ光学式の反射型センサである。この場合、発光部が、賞品Ｐに対して光を照射し、その反射光を受光部が受光する。計数部３９は、識別計数部３６の昇降に伴い、通い箱４において上下方向Ｚに積層された賞品Ｐの端部の凸形状を、発光部からの光によってなぞる。これによって、連続する複数の凸形状の輪郭にほぼ一致する波形データが得られるので、計数部３９は、この波形データにおける凸形状の数を数えることによって、賞品Ｐを計数することができる。
【００４５】
繰出払出部３２は、その外殻をなすボックス状に形成された本体４０を含む。本体４０の上面４０Ａには、左右方向Ｘに長手の出口４０Ｂが１つ形成されている（図３も参照）。出口４０Ｂは、本体４０の内部空間４０Ｃを上側Ｚ１に露出させている。収納部１２が収容位置にある状態では、この収納部１２の出口４０Ｂが、左右方向Ｘにおいて同じ位置ある１つの払出口１３Ｃの真下に配置される。繰出払出部３２は、繰出ユニット４１および払出ユニット４２を含む。繰出ユニット４１は、左右一対設けられている。左右２つの繰出ユニット４１のうち、左側Ｘ１のものは、前側収納本体部３１Ａ用の繰出ユニット４１Ａであり、右側Ｘ２のものは、後側収納本体部３１Ｂ用の繰出ユニット４１Ｂである。各繰出ユニット４１は、単数または複数の繰出部４３を含む。
【００４６】
繰出部４３は、左右方向Ｘから見て略三角形の環状をなす無端状の繰出ベルト４４と、繰出ベルト４４の内側において略三角形の各頂点部分に１つずつ配置されたローラ４５と、例えばウレタンで構成された外周面を有する繰出ローラ４６と、繰出ベルト４４の外周面に設けられた繰出部材４７とを含む。繰出ベルト４４は、少なくもいずれかのローラ４５がモータ等の駆動部（図示せず）により駆動回転されることによって、周回移動する。繰出部材４７は、繰出ベルト４４の外周面から突出した爪状に形成され、各繰出ベルト４４において、複数の繰出部材４７が繰出ベルト４４の周回方向に沿って等間隔で設けられている。
【００４７】
各繰出ユニット４１は、モータ等の駆動部（図示せず）の駆動力を受けることによって、待機姿勢と繰出姿勢との間で姿勢変更可能である。待機姿勢にあるときの各繰出ユニット４１は、図４に示すように本体４０の内部空間４０Ｃに収まっていて、各繰出部４３における繰出ベルト４４の平坦部分４４Ａが上下方向Ｚに沿っている。繰出姿勢にあるときの繰出ユニット４１Ａ（後述する図８を参照）では、繰出部４３が内部空間４０Ｃから前側Ｙ１へはみ出して、繰出部４３の繰出ベルト４４の平坦部分４４Ａが前後方向Ｙに沿って水平になっている。繰出姿勢にあるときの繰出ユニット４１Ｂ（図８を参照）では、繰出部４３が内部空間４０Ｃから後側Ｙ２へはみ出して、繰出部４３の繰出ベルト４４の平坦部分４４Ａが前後方向Ｙに沿って水平になっている。繰出姿勢にあるときの各繰出ユニット４１では、繰出部４３が、モータ等の駆動部（図示せず）の駆動力を受けることによって左右方向Ｘにスライド可能である。
【００４８】
図５を参照して、本体４０の内部空間４０Ｃにおける略上半分の領域は、複数の鉛直な板状の仕切部４８によって、複数の縦長の繰出空間４０Ｄへと区画されている。繰出空間４０Ｄは、通い箱４の収容空間２４と同数（ここでは５つ）存在し、本体４０の出口４０Ｂの真下において、左右方向Ｘに等間隔で並んでいる。
【００４９】
払出ユニット４２は、払出部４９を含む。払出部４９は、上下方向Ｚに一致した板厚方向を有する略矩形の板状であり、各繰出空間４０Ｄに１つずつ配置されており、合計で５つ存在する。払出ユニット４２は、全ての払出部４９を一括して保持する保持部（図示せず）を含む。全ての払出部４９は、モータ等の駆動部（図示せず）の駆動力を受けることによって、繰出空間４０Ｄの下端に設定された待機位置と、繰出空間４０Ｄの上端に設定された払出位置との間で、保持部と一体となって昇降する。
【００５０】
図６は、賞品払出装置３の電気的構成を示すブロック図である。賞品払出装置３は、制御部５１を含む。制御部５１は、ＣＰＵやＲＯＭやＲＡＭ等によって構成され、タイマ等を内蔵し、装置本体１１に設けられている。制御部５１には、シャッタ１７、店側表示部１８、客側表示部１９およびロック機構２０のそれぞれに関連した電気部品（例えば、前述した駆動部やセンサ等）が電気的に接続されている。また、制御部５１には、各収納部１２が電気的に接続されている。具体的には、収納部１２の各収納本体部３１において搬送体３４を周回移動させる移動機構５０が電気的に接続されている。また、制御部５１には、各収納部１２の繰出払出部３２および各収納本体部３１の識別計数部３６に関連した電気部品が電気的に接続されている。
【００５１】
制御部５１は、これらの電気部品の動作を制御することによって、賞品払出装置３の内部の賞品Ｐを識別および計数する識別計数処理と、内部の賞品Ｐを繰り出して機外（つまり装置本体１１の外）に払い出す繰出払出処理と、賞品Ｐを補充する補充処理とを実行する。これらの処理に関連して、制御部５１は、店側表示部１８や客側表示部１９に必要な情報を表示したり、使用者による店側表示部１８の操作に応じた指示を受け付けたりする。
【００５２】
賞品払出装置３は、記憶部５２をさらに備えている。記憶部５２は、不揮発性メモリやハードディスクドライブといった記憶デバイスによって構成されている。記憶部５２は、制御部５１に電気的に接続されている。記憶部５２は、各装填部３５に装填された通い箱４内の賞品Ｐの種類および収納数（在庫数ともいう）等を装填部３５毎に記憶している。また、記憶部５２は、過去の賞品Ｐの払出履歴といった情報も記憶している。
【００５３】
以下では、識別計数処理、繰出払出処理および補充処理について、この順番に説明する。識別計数処理の場合、図４および図５を参照して、制御部５１は、搬送体３４を、前側収納本体部３１Ａでは右側面視において反時計回りに周回移動させ、後側収納本体部３１Ｂでは右側面視において時計回りに周回移動させる。そして、各収納本体部３１では、識別計数処理の対象となる装填部３５が、識別計数部３６の上方に配置された所定位置に上側Ｚ１から接近すると、第１の姿勢変更機構（図示せず）により、図４に示すように、出入口３５Ａが横を向いた横向き姿勢に傾倒する。
【００５４】
前側収納本体部３１Ａでは、前側下端にある装填部３５が横向き姿勢にあって、この装填部３５の出入口３５Ａが前側Ｙ１を向いている。また、この装填部３５に装填された通い箱４も、出入口２５が前側Ｙ１を向いた横向き姿勢にあって、通い箱４内の賞品Ｐは、上下方向Ｚに積層された状態で、出入口２５から前側Ｙ１へはみ出しており、当該賞品Ｐの前端面が識別計数部３６側を向いている。後側収納本体部３１Ｂでは、後側下端にある装填部３５が横向き姿勢にあって、この装填部３５の出入口３５Ａが後側Ｙ２を向いている。また、この装填部３５に装填された通い箱４も、出入口２５が後側Ｙ２を向いた横向き姿勢にあって、通い箱４内の賞品Ｐは、上下方向Ｚに積層された状態で、出入口２５から後側Ｙ２へはみ出しており、当該賞品Ｐの後端面が識別計数部３６側を向いている。
【００５５】
図４に示すように、装填部３５が上向き姿勢から横向き姿勢に変わって識別計数部３６に上側Ｚ１から接近すると、制御部５１は、搬送体３４の周回移動を停止する。このとき、各収納本体部３１では、識別計数部３６における識別部３８および計数部３９の組（図５参照）が、横向き姿勢の装填部３５に装填された通い箱４の各収容空間２４に対して１組ずつ左右方向Ｘにおいて同じ位置にある。この状態において、制御部５１は、識別計数部３６を、例えば下端の待機位置から上昇させる。その際、各組における識別部３８および計数部３９が、当該通い箱４において左右方向Ｘで同じ位置にある収容空間２４に前後方向Ｙから対向しながら上昇する。識別部３８は、左右方向Ｘで同じ位置にある収容空間２４に収容されて上下方向Ｚに積層された状態にある賞品Ｐの種類を下側Ｚ２から順に１つずつ非接触で識別し、計数部３９は、当該収容空間２４に収容されて上下方向Ｚに積層された状態にある賞品Ｐを下側Ｚ２から順に１つずつ非接触で計数する。横向き姿勢の装填部３５に装填された通い箱４の各収容空間２４における全ての賞品Ｐについての識別および計数が完了して識別計数部３６が待機位置まで下降すると、識別計数処理が終了する。
【００５６】
識別計数処理は、全ての収納部１２において一度に実行されてもよいし、使用者による店側表示部１８での操作によって選択された所定の収納部１２において個別に実行されてもよい。また、識別計数処理は、各収納部１２では、前後の両方の収納本体部３１において一度に実行されてもよいし、前後のどちらかの収納本体部３１において個別に実行されてもよい。また、識別計数処理は、各収納本体部３１において、全ての装填部３５に装填された通い箱４について実行されてもよいし、使用者によって指定された装填部３５に装填された通い箱４のみについて実行されてもよい。いずれにせよ、制御部５１は、識別計数処理の度に、賞品払出装置３内の各装填部３５における賞品Ｐの在庫数を更新する。
【００５７】
各装填部３５における賞品Ｐの種類および在庫数は、装填部３５毎に割り当てられた識別情報と関連付けてテーブル（図示せず）にまとめられ、記憶部５２に記憶されている。制御部５１は、このテーブルの内容を、図７に示す在庫画面５５として店側表示部１８に表示することができる。図７以降では、説明の便宜上、黒く塗り潰された部分を、大賞品の種類を示す赤色の部分とし、右下へ延びる斜線のハッチングが施された部分を、中賞品の種類を示す青色の部分とし、右上へ延びる斜線のハッチングが施された部分を、小賞品の種類を示す黄色の部分としている。
【００５８】
一例として、店側表示部１８の上端部には、賞品払出装置３における様々な処理（メニュー）を選択等するためのタッチキーであるメニューキー５６が表示され、在庫画面５５は、店側表示部１８においてメニューキー５６よりも下側の領域に表示される。在庫画面５５には、見出し５７と、各装填部３５における賞品Ｐの種類および在庫数が示された個別表示部５８とが表示されている。見出し５７は、左右方向Ｘに並ぶ３つの収納部１２と同数存在し、例えば在庫画面５５の下端部において左右に並んで表示されている。左端の見出し５７は、左端の収納部１２に対応しており、この収納部１２を指す＜レーン左＞という文字が、この見出し５７に表示されている。真ん中の見出し５７は、真ん中の収納部１２に対応しており、この収納部１２を指す＜レーン中＞という文字が、この見出し５７に表示されている。右端の見出し５７は、右端の収納部１２に対応しており、この収納部１２を指す＜レーン右＞という文字が、この見出し５７に表示されている。
【００５９】
個別表示部５８は、賞品払出装置３内における装填部３５と同数（１つの収納部１２につき１２個）存在し、在庫画面５５において各見出し５７の真上の領域に１２個ずつ表示されている。各見出し５７の真上の１２個の個別表示部５８は、各収納部１２における前側収納本体部３１Ａおよび後側収納本体部３１Ｂに応じて、６個ずつにまとまって表示されている。これら１２個の個別表示部５８において、在庫画面５５における下側の６個の個別表示部５８は、前側収納本体部３１Ａにおける６個の装填部３５に１つずつ対応し、上側の６個の個別表示部５８は、後側収納本体部３１Ｂにおける６個の装填部３５に１つずつ対応している。各個別表示部５８は、対応する１つの装填部３５に割り当てられた賞品Ｐの種類についての情報を示す種類表示部５８Ａと、この装填部３５における現在の在庫数を示す在庫数表示部５８Ｂとを含む。種類表示部５８Ａでは、対応する賞品Ｐの種類についての情報として、この賞品Ｐの色および種類名の少なくともいずれか（図７では両方）が表示されている。
【００６０】
図８を参照して、繰出払出処理について説明する。繰出払出処理は、通い箱４から賞品Ｐを１枚ずつ繰り出す繰出処理と、繰出処理により繰り出された賞品Ｐを機外へ払い出す払出処理とを含む。繰出処理が始まると、制御部５１は、前側収納本体部３１Ａでは搬送体３４を右側面視において時計回りに周回移動させ、後側収納本体部３１Ｂでは搬送体３４を右側面視において反時計回りに周回移動させる。各収納本体部３１では、繰出処理の対象となる装填部３５が、払出ユニット４２の払出部４９に接近すると、第２の姿勢変更機構（図示せず）により、図８に示すように、出入口３５Ａが横を向いた横向き姿勢に傾倒する。
【００６１】
このとき、前側収納本体部３１Ａでは、後側上端にある装填部３５が横向き姿勢にあって、この装填部３５の出入口３５Ａが後側Ｙ２を向いている。また、この装填部３５に装填された通い箱４も、出入口２５が後側Ｙ２を向いた横向き姿勢にあって、通い箱４内の賞品Ｐは、上下方向Ｚに積層された状態で、出入口２５から後側Ｙ２へはみ出していて、当該賞品Ｐの後端面が繰出払出部３２側を向いている。後側収納本体部３１Ｂでは、前側上端にある装填部３５が横向き姿勢にあって、この装填部３５の出入口３５Ａが前側Ｙ１を向いている。また、この装填部３５に装填された通い箱４も、出入口２５が前側Ｙ１を向いた横向き姿勢にあって、通い箱４内の賞品Ｐは、上下方向Ｚに積層された状態で、出入口２５から前側Ｙ１へはみ出していて、当該賞品Ｐの前端面が繰出払出部３２側を向いている。
【００６２】
図８に示すように、横向き姿勢の装填部３５に装填された通い箱４内における最下位の賞品Ｐが、払出ユニット４２において待機位置にある払出部４９の上面と上下方向Ｚにおいてほぼ同じ位置になると、制御部５１は、搬送体３４の周回移動を停止する。搬送体３４の周回移動の停止に前後して、制御部５１は、繰出ユニット４１の姿勢を待機姿勢から繰出姿勢に切り換える。繰出姿勢の繰出ユニット４１Ａでは、繰出部４３が、前側収納本体部３１Ａの本体３３の内部空間に後側Ｙ２から進入し、横向き姿勢の装填部３５に装填された通い箱４の真下に配置される。繰出姿勢の繰出ユニット４１Ｂでは、繰出部４３が、後側収納本体部３１Ｂの本体３３の内部空間に前側Ｙ１から進入し、横向き姿勢の装填部３５に装填された通い箱４の真下に配置される。
【００６３】
次いで、制御部５１は、繰出部４３における繰出ベルト４４を周回移動させ、繰出ローラ４６を回転させる。このとき、繰出ユニット４１Ａでは、右側面視において繰出ベルト４４が時計回りに周回移動して繰出ローラ４６が反時計回りに回転する。また、繰出ユニット４１Ｂでは、右側面視において繰出ベルト４４が反時計回りに周回移動して繰出ローラ４６が時計回りに回転する。周回移動する繰出ベルト４４に設けられた繰出部材４７が、繰出ベルト４４の平坦部分４４Ａにおいて払出部４９側へ水平移動する。その際、繰出部材４７が、横向き姿勢の装填部３５に装填された通い箱４の開口部２６（図２参照）に進入して、当該通い箱４の収容空間２４内の最下位の賞品Ｐを引っ掛けて払出部４９側へ繰り出す。
【００６４】
払出部４９側へ繰り出された賞品Ｐは、駆動回転される繰出ローラ４６に接触することによって払出部４９側へ押し出され、左右方向Ｘにおいて同じ位置にある１つの払出部４９上に載る。そして、繰出ベルト４４の周回移動と繰出ローラ４６の回転が繰り返されることによって、横向き姿勢の装填部３５に装填された通い箱４において各繰出部４３の真上に位置する収容空間２４内の賞品Ｐが、下側Ｚ２の賞品Ｐから順に１つずつ繰り出されて、払出部４９上に集積される。
【００６５】
なお、繰り出された賞品Ｐが払出部４９において上側Ｚ１に集積されるように、賞品Ｐの繰り出しの度に、制御部５１は、払出部４９を待機位置から徐々に下降させてもよい。また、制御部５１は、繰出部４３を左右方向に移動させて、先ほど賞品Ｐを繰り出した収容空間２４とは別の収容空間２４の賞品Ｐを繰出部４３によって繰り出してもよい。この場合、当該別の収容空間２４から繰り出された賞品Ｐは、先ほどの払出部４９とは別の払出部４９に集積される。通い箱４における全ての収容空間２４が空になると、制御部５１は、繰出ユニット４１を一旦待機姿勢に戻した後に搬送体３４を周回移動させ、別の通い箱４が装填された装填部３５を横向き姿勢にする。その後、制御部５１は、繰出ユニット４１を繰出姿勢に姿勢変更して、当該別の通い箱４から賞品Ｐを繰り出す。
【００６６】
以上の繰出処理が完了すると、制御部５１は、払出処理を開始する。具体的には、制御部５１は、払出処理の対象となる収納部１２の真上のシャッタ１７を、図８に示す開位置までスライドさせる。これにより、このシャッタ１７によって開閉される払出口１３Ｃと、この収納部１２の出口４０Ｂとが上側Ｚ１へ開放される。そして、制御部５１は、この収納部１２における５つ全ての払出部４９を、破線にて示す払出位置まで上昇させる。これにより、各払出部４９上に繰り出された賞品Ｐが、出口４０Ｂおよび払出口１３Ｃから上側Ｚ１に露出されることによって機外へ払い出されるので、使用者は、払出部４９上の賞品Ｐを受け取ることができる。
【００６７】
払出部４９が払出位置まで上昇したとき、１つの払出口１３Ｃでは、５つの払出部４９が並んでおり、これにより、この払出口１３Ｃは、５つの個別払出口１３Ｄに区分けされている（後述する図９参照）。前述したように各収納部１２には複数種類の賞品Ｐがまとめて収納されているので、各個別払出口１３Ｄからは、決まった種類の賞品Ｐが払い出されるとは限らず、各収納部１２内の複数種類の賞品Ｐが払い出される。各個別払出口１３Ｄにおける払出部４９上の賞品Ｐが使用者によって取り出された後に、制御部５１は、払出部４９を待機位置まで下降させる。さらに、制御部５１は、今まで開位置にあったシャッタ１７を閉位置までスライドさせ、各繰出ユニット４１を繰出姿勢から待機姿勢（図４参照）まで戻す。これにより、払出処理が終了し、一連の繰出払出処理が完了する。
【００６８】
図９は、賞品払出装置３の天板１３の一部を示す模式的な平面図である。賞品払出装置３は、表示部６１をさらに含む。表示部６１は、左右方向Ｘに長い帯状の表示器であって、収納部１２と同数存在し、天板１３の払出面１３Ａにおいて所定の間隔を隔てて左右方向Ｘに並んでいる。表示部６１に関連して、払出面１３Ａにおいて各払出口１３Ｃの手前側には、左右方向Ｘに長い帯状の表示領域６２が１つずつ設けられている（図１も参照）。表示部６１は、各表示領域６２において１つずつ天板１３に埋め込まれ、制御部５１に対して電気的に接続されており（図６参照）、制御部５１の制御によって表示領域６２に数字や文字等の記号を表示する。
【００６９】
以下では、左端の収納部１２に収納されている賞品Ｐが払い出される払出口１３Ｃ（レーン左の払出口１３Ｃ）に対応する左端の表示部６１を、表示部６１Ｌということがある。真ん中の収納部１２に収納されている賞品Ｐが払い出される払出口１３Ｃ（レーン中の払出口１３Ｃ）に対応する真ん中の表示部６１を、表示部６１Ｃということがある。右端の収納部１２に収納されている賞品Ｐが払い出される払出口１３Ｃ（レーン右の払出口１３Ｃ）に対応する右端の表示部６１を、表示部６１Ｒということがある。各表示部６１は、左右方向Ｘに並ぶ複数（１つの払出口１３Ｃに含まれる個別払出口１３Ｄと同数であり、ここでは５つ）の個別表示部６３を含む。
【００７０】
表示部６１Ｌにおける左端の個別表示部６３を参照して、各個別表示部６３は、例えば、１６個のセグメント６４によって構成された記号表示部６５と、記号表示部６５の手前側において左右方向Ｘに長い１本の直線状のセグメント６６によって構成された下線表示部６７とを含む。１６個のセグメント６４のうち、８つのセグメント６４は、記号表示部６５における矩形状の外周部を構成するように環状に配置され、残りの８つのセグメント６４は、記号表示部６５の外周部よりも内側の領域において、プラス（＋）とバツ（×）とを構成するように４つずつに分かれて配置されている。各セグメント６４および６６は、ＬＥＤ等の発光素子を内蔵している。一例として、記号表示部６５は、各セグメント６４のＬＥＤが発光することによって、ＡからＺまでの大文字の英文字と、０〜１９までの数字とを選択的に表示できる。下線表示部６７は、セグメント６６が発光することによって、記号表示部６５の真下に下線を表示できる。
【００７１】
記号表示部６５および下線表示部６７を構成するセグメントは、白色ＬＥＤを内蔵しているため、各個別表示部６３は、数字や文字等の記号をフルカラー表示することができる。なお、図９では、記号表示部６５として１６セグメントの表示器を採用しているが、８の字に配置された７つのセグメント６４によって構成された７セグメントの表示器を採用してもよい。各個別表示部６３は、各セグメント６４および６６の発光状態にのみ表示領域６２に記号を表示する。しかし、これらのセグメントの非発光状態では、表示領域６２に記号が表示されないので、非表示時の個別表示部６３は視認できない。なお、セグメント６４および６６の発光状態とは、点灯状態および点滅状態のどちらでもよい。
【００７２】
図１０は、表示部６１の表示内容の一例を示す模式図である。制御部５１は、識別計数処理を実行すると、賞品払出装置３内における賞品Ｐの在庫数を、賞品Ｐの種類毎に表示部６１に表示する。図１０（ａ）では、一例として、大賞品の在庫数である１２００が、大賞品の種類を示す赤色によって表示部６１Ｌに表示され、中賞品の在庫数である７００が、中賞品の種類を示す青色によって表示部６１Ｃに表示され、小賞品の在庫数である３００が、小賞品の種類を示す黄色によって表示部６１Ｒに表示される。なお、図１０では、青色（右下へ延びる斜線のハッチング）および黄色（右上へ延びる斜線のハッチング）が見やすくなるように、これらのハッチングの周囲に存在する非発光のセグメント６４の図示を省略している（後述する図１６においても同様）。
【００７３】
制御部５１は、繰出払出処理を実行する際には、これから払い出される賞品Ｐまたは既に払い出された賞品Ｐの数である払出数を、賞品Ｐの種類毎に表示部６１に表示する。図１０（ｂ）では、一例として、大賞品の払出数（ここでは種類毎の総数）である１８が赤色によって表示部６１Ｌに表示され、中賞品の払出数である３が青色によって表示部６１Ｃに表示され、小賞品の払出数である５が黄色によって表示部６１Ｒに表示されている。なお、別の表示例として、賞品Ｐが払い出される個別払出口１３Ｄ（図９参照）と左右方向Ｘにおいて同じ位置にある個別表示部６３において、この個別払出口１３Ｄから払い出される賞品Ｐの払出数が、この賞品Ｐの種類を示す色によって表示されてもよい（後述する図１６（ｂ）参照）。これにより、使用者は、どの種類の賞品Ｐがどの個別払出口１３Ｄから払い出されるのかを容易に把握できる。
【００７４】
通い箱４毎に、賞品Ｐが０枚のエンプティ、または、賞品Ｐが所定枚数未満のニアエンプティといった状況が想定される。制御部５１は、各装填部３５における賞品Ｐの在庫数に基いて、各装填部３５に装填された通い箱４においてエンプティやニアエンプティが発生しているか否かを監視している。ニアエンプティが発生している場合には、制御部５１は、図１０（ｃ）の表示部６１Ｌにて示すように、全ての個別表示部６３の下線表示部６７を点灯または点滅させる。このときの下線表示部６７は、ニアエンプティが発生している賞品Ｐに付された色にて発光する。なお、ニアエンプティの表示は、全ての表示部６１でなく、ニアエンプティが生じている通い箱４を収容している収納部１２に対応する表示部６１だけで行われてもよい。エンプティが発生している場合には、図１０（ｃ）の表示部６１Ｃにて示すように、制御部５１は、表示部６１において「ＥＭＰＴＹ」の文字を、下線表示部６７のアンダーバー付きで点灯表示または点滅表示させる。このときの表示部６１は、エンプティが発生している賞品Ｐに付されている色で表示される。なお、エンプティの表示は、全ての表示部６１でなく、エンプティが生じている通い箱４を収容している収納部１２に対応する表示部６１だけで行われてもよい。
【００７５】
賞品払出装置３は、賞品Ｐの払出時等に発生したエラーを検出する機能を備えている。このようなエラーとして、繰出処理や払出処理での賞品Ｐの搬送不良等を例示できる。エラーが発生したときには、図１０（ｃ）の表示部６１Ｒにて示すように、制御部５１は、エラーが発生した収納部１２に対応する表示部６１において「ＥＲＲＯＲ」の文字を赤色で点灯表示または点滅表示させる。また、エラーの発生時には、店側表示部１８においてもエラー発生の旨が表示される。
【００７６】
補充処理の場合には、使用者が、店側表示部１８を操作することによって、補充処理の対象となる収納部１２を１つ選択する。すると、制御部５１は、選択された収納部１２についてのロック機構２０によるロックを解除することによって、この収納部１２の引出位置までの引き出しを許可する。次に、使用者が、ロックが解除された収納部１２の取っ手１２Ａを掴んで前側Ｙ１に引くと、この収納部１２は、図１１に示す引出位置まで引き出される。使用者が、引出位置まで引き出された収納部１２の取っ手１２Ａを後側Ｙ２に押すと、収納部１２が収容位置まで戻る。
【００７７】
引出位置には、収納部１２が目一杯引き出されたときの位置である最大引出位置と、収容位置と最大引出位置との間の途中引出位置とがある。最大引出位置まで引き出された収納部１２では、前側収納本体部３１Ａおよび後側収納本体部３１Ｂの両方が装置本体１１（１点鎖線で示した装置本体１１）よりも前側Ｙ１に位置しており、これらの収納本体部３１の上面の装填口３３Ａが装置本体１１の外に配置されている。途中引出位置まで引き出された収納部１２では、後側収納本体部３１Ｂが装置本体１１内に残っていて、少なくとも前側収納本体部３１Ａが装置本体１１（２点鎖線で示した装置本体１１）よりも前側Ｙ１に位置しており、前側収納本体部３１Ａの上面の装填口３３Ａが装置本体１１の外に配置されている。最大引出位置または途中引出位置まで引き出された収納部１２では、装填口３３Ａから当該収納部１２内に賞品Ｐを装填することができる。
【００７８】
最大引出位置または途中引出位置まで引き出された収納部１２では、使用者が収納本体部３１（図１１では前側収納本体部３１Ａを参照）の扉３３Ｂを開いて装填口３３Ａを上側Ｚ１に開放する。扉３３Ｂが開くのに先立って制御部５１が搬送体３４を周回移動させ、これにより、空の２つの装填部３５が、装填口３３Ａの真下において前後に並んで配置される。空の装填部３５とは、通い箱４が装填されていない装填部３５、または、エンプティもしくはニアエンプティの状態の通い箱４が装填された装填部３５を指す。装填口３３Ａの前側領域および後側領域のそれぞれに、空の装填部３５が１つずつ配置される。
【００７９】
以下では、前側収納本体部３１Ａの装填口３３Ａにおいて、前側領域を補充口（１）といい、後側領域を補充口（２）といい、後側収納本体部３１Ｂの装填口３３Ａにおいて、前側領域を補充口（３）といい、後側領域を補充口（４）という。装填口３３Ａにおける補充口（１）〜（４）のいずれかの真下に配置されたときの装填部３５の位置を装填位置という。移動機構５０により搬送体３４とともに周回移動する装填部３５は、装填位置と繰出部４３と識別計数部３６との間で巡回し、装填位置を通過する際には装填口３３Ａに対して相対移動する。ただし、扉３３Ｂが開いて使用者が装填口３３Ａから収納本体部３１内にアクセス可能な状態では搬送体３４が周回移動しないようにするために、各収納本体部３１には、制御部５１に対して電気的に接続されたセンサ７１（図６参照）が設けられている。
【００８０】
センサ７１の一例は、扉３３Ｂの開閉を検知するセンサである。この場合、扉３３Ｂが開いていることをセンサ７１が検知している間は、制御部５１は、扉３３Ｂが設けられた収納本体部３１内の移動機構５０を制御して、搬送体３４および装填部３５を周回移動させない。制御部５１は、扉３３Ｂが閉じられて装填口３３Ａを閉じたことをセンサ７１によって把握すると、移動機構５０を制御して搬送体３４および装填部３５の周回移動を開始させ、空の装填部３５を装填位置まで移動させる。つまり、扉３３Ｂの開閉と、搬送体３４および装填部３５の周回移動とが連動している。
【００８１】
使用者は、賞品Ｐを収容した基本姿勢の状態の通い箱４を、白抜き矢印で示すように下降させて装填口３３Ａを通過させ、装填位置にある上向き姿勢の装填部３５の出入口３５Ａに上側Ｚ１から挿入する。これにより、通い箱４が、装填位置の装填部３５に装填され、通い箱４内の賞品Ｐは、収納部１２内に装填される。なお、通い箱４および装填部３５の一方に設けられた位置決めリブ（図示せず）が、他方に設けられた位置決め溝（図示せず）に嵌まり込むことによって、通い箱４と、この通い箱４が装填された装填部３５とが互いに位置決めされる。装填位置の装填部３５に通い箱４が装填されてから扉３３Ｂが閉じられると、他の空の装填部３５が装填位置に配置されるように、制御部５１が搬送体３４を周回移動させる。
【００８２】
そして、他の空の装填部３５にも通い箱４が装填されて、使用者が、扉３３Ｂを閉じて、引出位置の収納部１２の取っ手１２Ａを掴んで収容位置まで戻すと、制御部５１は、この収納部１２を、ロック機構２０によって収容位置にてロックする。これにより、この収納部１２についての補充処理が終了する。このように特定の装填位置でのみ装填部３５に通い箱４が装填でき、この装填位置において、異なる装填部３５にアクセスして複数種類の賞品Ｐを装填できる収納本体部３１では、その内部空間の省スペース化を図れるとともに、賞品Ｐの収納量を向上できる。
【００８３】
ただし、このような構成では、装填口３３Ａから装填部３５に装填すべき賞品Ｐの種類が、常に一定とは限らず、周回移動に応じて装填口３３Ａにおける装填部３５が変わる度に、装填部３５に装填すべき賞品Ｐの種類が変化することがある。個々の装填部３５および通い箱４は、賞品Ｐの種類に関係なく共用できることが求められるので、装填部３５同士や、通い箱４同士において、外見上の違いは原則として存在しない。また、装填部３５に通い箱４が装填された場合には、装填部３５自体が見にくい。そのため、使用者によっては、装填口３３Ａにある装填部３５に装填すべき賞品Ｐの種類が分からなくなる不具合が想定される。そこで、以下では、このような不具合を解消するための店側表示部１８および表示部６１での表示内容について説明する。
【００８４】
前述したように、使用者が補充処理の対象の収納部１２（ここでは、レーン左の収納部１２であるとする）を１つ選択すると、制御部５１は、選択された収納部１２についてのロック機構２０によるロックを解除する。このとき、制御部５１は、図１２に示す補充画面７５を、店側表示部１８においてメニューキー５６よりも下側の領域に表示する。補充画面７５が表示された店側表示部１８には、ロックが解除された収納部１２がどれであるかを示すメッセージ７６が表示される。なお、前述した在庫画面５５（図７参照）が表示された状態において補充処理の対象の収納部１２が選択されると、制御部５１は、在庫画面５５において当該収納部１２に関連する部分を拡大し、当該部分を用いて補充画面７５を作成してもよい。
【００８５】
補充画面７５における例えば略左半分の領域には、ロックが解除された収納部１２内の各装填部３５における賞品Ｐの種類および在庫数が示された個別表示部７７が表示されている。個別表示部７７は、この収納部１２内の装填部３５と同数（つまり１２個）存在し、補充画面７５において、前側収納本体部３１Ａおよび後側収納本体部３１Ｂに応じて、６個ずつにまとまって表示されている。補充画面７５における下側の６個の個別表示部７７は、前側収納本体部３１Ａにおける６個の装填部３５に１つずつ対応し、上側の６個の個別表示部７７は、後側収納本体部３１Ｂにおける６個の装填部３５に１つずつ対応している。各個別表示部７７は、対応する１つの装填部３５に割り当てられた賞品Ｐの種類についての情報を示す種類表示部７７Ａと、この装填部３５における現在の在庫数を示す在庫数表示部７７Ｂとを含む。種類表示部７７Ａでは、対応する賞品Ｐの種類の色および種類名の少なくともいずれか（図１２では両方）が表示されている。
【００８６】
補充画面７５には、補充口（１）〜（４）に現在位置している装填部３５がどれであるかを示す位置表示部７８が表示されている。位置表示部７８に関連して、各装填部３５の最新の位置情報は、位置センサ（図示せず）等によって常に監視されていて、装填部３５毎に割り当てられた識別情報と関連付けて記憶部５２に記憶されている。位置表示部７８は、補充口（１）に現在位置している装填部３５についての個別表示部７７に隣接配置された位置表示部７８Ａを含む。また、位置表示部７８は、位置表示部７８Ａと同様に、補充口（２）〜（４）のそれぞれに対応した位置表示部７８Ｂ〜７８Ｄも含む。なお、位置表示部７８Ａ〜Ｄはあくまで一例であり、位置表示部７８の代わりに、制御部５１は、補充口（１）〜（４）に現在位置している装填部３５についての個別表示部７７を強調表示したり、囲み表示したりしてもよい。
【００８７】
補充画面７５における例えば略右半分の領域には、補充口（１）〜（４）に応じた４つの補充情報表示部７９が表示されている。各補充情報表示部７９には、補充口（１）〜（４）において対応する１つの補充口を示す位置情報７９Ａと、対応する補充口に現在位置している装填部３５に補充すべき賞品Ｐの種類についての種類情報７９Ｂとが表示されている。４つの補充情報表示部７９は、補充画面７５において、補充口（１）についての補充情報表示部７９が使用者に最も近い手前側に位置するように、補充口（１）〜（４）の順に上下に並んでいる。また、補充画面７５には、補充口（１）〜（４）が、補充画面７５上でも実機においても、手前側の使用者から見て補充口（１）〜（４）の順に並んでいることを示すための矢印８０が表示されている。
【００８８】
店側表示部１８におけるこのような補充画面７５を見た使用者は、ロックが解除された収納部１２の各装填部３５における賞品Ｐの在庫数と、補充口（１）〜（４）に現在位置している装填部３５に補充すべき賞品Ｐの種類とを把握できる。しかし、店側表示部１８の位置によっては、引出位置まで引き出された収納部１２と店側表示部１８とが使用者の視界に一度に入らない位に、店側表示部１８が収納部１２から離れて配置されている場合がある。この場合、使用者は、補充口（１）〜（４）に補充すべき賞品Ｐの種類を確認するために、店側表示部１８の補充画面７５を何度も見直す必要がある。そこで、制御部５１は、引出位置まで引き出された収納部１２に近い表示部６１においても、補充口（１）〜（４）から収納部１２内に装填すべき賞品Ｐの種類についての情報を表示する。
【００８９】
具体的には、ロックが解除された収納部１２が、図１３に示すように途中引出位置まで引き出されると、この収納部１２の前側収納本体部３１Ａが、装置本体１１の外に配置される。使用者が前側収納本体部３１Ａの扉３３Ｂ（図示せず）を開くと、装填口３３Ａにおける補充口（１）および補充口（２）が、前後に並んで開放され、これらの補充口では、上向き姿勢の装填部３５が１つずつ露出されている。前側収納本体部３１Ａの本体３３には、補充口（１）および補充口（２）のそれぞれの位置を示したマーク等のガイド部８１が設けられる。補充口（１）および補充口（２）における２つの装填部３５には、同じ種類の賞品Ｐを収納した通い箱４が装填されるものとする。この場合、制御部５１は、引出位置の収納部１２と対応する位置（左右方向Ｘにおいて同じ位置）にある表示部６１の各記号表示部６５において、図１３に示すように、記号表示部６５における環状の外周部分を構成する８つのセグメント６４を、収納すべき賞品Ｐの色（図１３では赤色）にて発光させる。この発光は、扉３３Ｂが開かれるのに先立って開始される。なお、８つのセグメント６４を発光させるのは一例であり、例えば、セグメント６４を１つだけ発光させてもよい。赤く発光した記号表示部６５とガイド部８１とを見た使用者は、補充口（１）および補充口（２）における２つの装填部３５に、赤い大賞品を収納した通い箱４を装填すべきであることを把握する。
【００９０】
補充口（１）および補充口（２）における２つの装填部３５のそれぞれには、別の種類の賞品Ｐを収納した通い箱４が装填されるよう設定されてもよい。この場合、制御部５１は、引出位置の収納部１２と左右方向Ｘにおいて同じ位置にある表示部６１の各記号表示部６５において、図１４に示すように、前端で左右に並ぶ２つのセグメント６４を、前側Ｙ１の補充口（１）の装填部３５に収納すべき賞品Ｐの色（図１４では赤色）にて発光させる。また、制御部５１は、各記号表示部６５において、後端で左右に並ぶ２つのセグメント６４を、後側Ｙ２の補充口（２）の装填部３５に収納すべき賞品Ｐの色（図１４では青色）にて発光させる。前端において赤く発光して後端において青く発光した記号表示部６５とガイド部８１とを見た使用者は、手前の補充口（１）の装填部３５に、赤い大賞品を収納した通い箱４を装填すべきであって、奥の補充口（２）の装填部３５に、青い中賞品を収納した通い箱４を装填すべきであることを把握する。なお、前端および後端のセグメント６４を発光させるのは一例であり、例えば、下線表示部６７のセグメント６６を赤く発光させて、記号表示部６５の後端におけるセグメント６４を青く発光させてもよい。
【００９１】
ロックが解除された収納部１２が、図１５に示すように最大引出位置まで引き出されると、この収納部１２の前側収納本体部３１Ａおよび後側収納本体部３１Ｂが、装置本体１１の外に配置される。使用者が前側収納本体部３１Ａの扉３３Ｂ（図示せず）を開くと、前側収納本体部３１Ａの装填口３３Ａにおける補充口（１）および補充口（２）が、前後に並んで開放される。使用者が後側収納本体部３１Ｂの扉３３Ｂ（図示せず）を開くと、装填口３３Ａにおける補充口（３）および補充口（４）が、前後に並んで開放される。前側収納本体部３１Ａと同様に、後側収納本体部３１Ｂの本体３３には、補充口（３）および補充口（４）のそれぞれの位置を示したマーク等のガイド部８１が設けられる。
【００９２】
制御部５１は、最大引出位置の収納部１２と左右方向Ｘにおいて同じ位置にある表示部６１において、図１５に示すように、各下線表示部６７のセグメント６６を、補充口（１）の装填部３５に収納すべき賞品Ｐの色（図１５では赤色）にて発光させる。また、制御部５１は、各記号表示部６５の前端で左右に並ぶ２つのセグメント６４を、補充口（２）の装填部３５に収納すべき賞品Ｐの色（図１５では赤色）にて発光させる。また、制御部５１は、各記号表示部６５における前端と後端との間で左右に並ぶ２つのセグメント６４を、補充口（３）の装填部３５に収納すべき賞品Ｐの色（図１５では青色）にて発光させる。さらに、制御部５１は、各記号表示部６５における後端で左右に並ぶ２つのセグメント６４を、補充口（４）の装填部３５に収納すべき賞品Ｐの色（図１５では青色）にて発光させる。このように発光した記号表示部６５および下線表示部６７とガイド部８１とを見た使用者は、補充口（１）および補充口（２）の各装填部３５に、赤い大賞品を収納した通い箱４を装填すべきであって、補充口（３）および補充口（４）の各の装填部３５に、青い中賞品を収納した通い箱４を装填すべきであることを把握する。
【００９３】
以上のように、天板１３の表示部６１には、複数の装填部３５のうち装填口３３Ａの各補充口に現在存在する装填部３５に装填すべき賞品Ｐの種類についての情報（ここでは賞品Ｐの色）が表示される。これにより、収納部１２内の各収納領域（つまり各装填部３５）に装填すべき賞品Ｐの種類を、表示部６１に表示された情報によって把握できる。特に、現時点にて装填口３３Ａにある装填部３５に装填すべき賞品Ｐの種類を、表示部６１に表示された情報によって把握できる。このように正しい種類の賞品Ｐを各補充口に補充するように誘導される構成であれば、収納部１２内の各装填部３５において間違った種類の賞品Ｐが装填されることを防止できる。そして、表示部６１が、装置本体１１の天板１３の上面に設けられているので、引出位置の収納部１２の上面の装填口３３Ａから収納部１２内に賞品Ｐを装填しようとする使用者にとって、表示部６１が視界に入りやすく、表示部６１に表示された情報が見やすい。そのため、使用者は、作業の手を止めずに、各補充口の装填部３５に収納すべき賞品Ｐの種類を表示部６１から把握し、正しい種類の賞品Ｐを装填部３５に装填できる。よって、使用者の利便性の向上を図れる。
【００９４】
使用者が、各補充口の装填部３５に通い箱４を装填した後に扉３３Ｂによって装填口３３Ａを閉じると、制御部５１が搬送体３４を周回移動させて、後続の２つの装填部３５を装填口３３Ａにおける各補充口まで移動させる。すると、制御部５１は、今回の周回移動によって次に装填口３３Ａにくる装填部３５に装填すべき賞品Ｐの色を、次に扉３３Ｂが開くまでに、表示部６１に表示させておく。これにより、装填口３３Ａが開くまでに、次に装填口３３Ａにくる装填部３５に装填すべき賞品Ｐの種類を、表示部６１に表示された情報によって事前に把握できるので、収納部１２内において間違った種類の賞品Ｐが装填されることを防止できる。なお、賞品Ｐを補充したい装填部３５が装填口３３Ａになければ、使用者は、この装填部３５が装填口３３Ａにくるまで扉３３Ｂの開閉を繰り返せばよい。扉３３Ｂの開閉を繰り返せば、表示部６１の表示内容（ここでは、表示色）が変化するので、装填部３５の周回移動をリアルタイムで実感できる。また、周回移動に伴って各補充口における装填部３５が入れ替わるのに応じて、制御部５１は、各位置表示部７８が、対応する装填部３５についての個別表示部７７に隣接配置されるように、補充画面７５の内容を更新する（図１２参照）。
【００９５】
この発明は、以上の実施形態の内容に限定されるものではなく、請求項に記載の範囲内において種々の変更が可能である。
【００９６】
たとえば、前述した実施形態では、表示部６１に表示される賞品Ｐの種類についての情報は、種類毎に異なる賞品Ｐの色であったが、賞品Ｐの種類名（ここでは、大景品、中景品および小景品）であってもよく、種類名の略称（ここでは、大、中および小）等であってもよい。また、賞品払出装置３において、賞品Ｐの種類についての情報は、表示部６１に目視可能に表示されるだけでなく、音声ガイダンス等との組み合わせによって報知されてもよい。
【００９７】
また、前述した実施形態では、扉３３Ｂが開閉される度に装填口３３Ａにおける装填部３５が２つずつ入れ替わるように、装填部３５の周回移動が制御される。これに代え、装填口３３Ａに配置される装填部３５は１つだけであってもよく、この場合には、扉３３Ｂの開閉の度に装填口３３Ａにおける装填部３５が１つずつ入れ替わる。装填口３３Ａに装填部３５が１つだけ配置される場合には、各装填口３３Ａには、前述した補充口が１つだけ存在する。
【００９８】
また、図１３および図１４に示すように収納部１２が途中引出位置まで引き出されて前側収納本体部３１Ａにおいて補充口（１）および補充口（２）の露出された装填部３５に収納すべき賞品Ｐの色が表示部６１に表示された状態において、図１５に示すように収納部１２が途中引出位置から最大引出位置まで引き出されることがある。この場合、図１５に示すように補充口（１）〜（４）の各装填部３５に収納すべき賞品Ｐの色が表示部６１に表示されてもよいし、遊技施設での運用によっては表示部６１に何も表示されなくなってもよい。
【００９９】
また、前述した実施形態では、各収納本体部３１において、移動機構５０が搬送体３４および装填部３５を周回移動させることによって、装填部３５が収納本体部３１の本体３３の装填口３３Ａに対して相対移動する。この構成に代えて、収納本体部３１内の各装填部３５の位置は固定されていて、装填口３３Ａ（詳しくは、装填口３３Ａが形成された可動部分）を各装填部３５まで移動させる移動機構を備えてもよい。この場合にも、装填部３５が収納本体部３１の本体３３の装填口３３Ａに対して相対移動する。
【０１００】
また、賞品払出装置３として、賞品Ｐを通い箱４に収容した状態のまま収納部１２に収納するタイプの装置を例に挙げて説明したが、賞品Ｐを通い箱４から取り出した状態で収納部１２に収納するタイプの装置にも本発明を適用できる。
【０１０１】
また、賞品払出装置３は、遊技施設のフロアに据え付けられるのではなく、受付カウンターＣ上に設置される卓上タイプであってもよい。
【０１０２】
また、各表示部６１では、以上に説明した以外でも、様々な表示パターンで情報を表示できる。例えば、図１６（ａ）を参照して、各表示部６１の各個別表示部６３における記号表示部６５には、左右に連続して延びる２つのセグメント６４の組Ｇが、前後に３組並んで存在する。賞品払出装置３が起動してから待機状態になるまでのイニシャル状態では、各表示部６１で左右に隣り合う個別表示部６３において、前後の位置が違う組Ｇ（下線表示部６７のセグメント６６でもよい）が発光することによって、表示部６１全体が波形を描くように発光する。これにより、賞品払出装置３がイニシャル状態にあることが表示される。なお、セグメント６４の発光色は、図１６（ａ）では赤色としているが、他の色（例えば青色）であってもよい（後述する図１６（ｄ）〜（ｆ）においても同様）。
【０１０３】
前述した実施形態では、払い出される賞品Ｐの種類毎の総数が複数の個別表示部６３に跨って表示部６１に表示されるが（図１０（ｂ）の表示部６１Ｌにおける「１８」を参照）、各個別払出口１３Ｄ（図９参照）から払い出される賞品Ｐの数（一例として最大で１０枚）が、図１６（ｂ）に示すように、各個別払出口１３Ｄと左右方向Ｘで同じ位置にある対応する各個別表示部６３に、賞品Ｐと同じ色で表示されてもよい。図１６（ｂ）では、ある払出口１３Ｃにおいて、左端の個別払出口１３Ｄから赤色の賞品Ｐが１０枚払い出され、左から２番目の個別払出口１３Ｄから赤色の賞品Ｐが８枚払い出され、左から３番目の個別払出口１３Ｄから青色の賞品Ｐが２枚払い出され、右端の個別払出口１３Ｄから黄色の賞品Ｐが３枚払い出されることが表示部６１において表示されている。なお、表示部６１は、繰出払出処理中では点滅し、繰出払出処理の完了後は点灯してもよい。点灯後に所定時間が経過すると、表示部６１は消灯する。繰出払出処理中にニアエンプティが発生すると、ニアエンプティになった種類の賞品Ｐが払い出される個別払出口１３Ｄに対応する各個別表示部６３の下線表示部６７だけが、図１６（ｃ）に示すように、その賞品Ｐの色で所定時間点灯する。また、何かしらの理由により、今回の払い出しの取引が不成立になった場合には、図１６（ｄ）に示すように、賞品Ｐが払い出されるはすだった個別払出口１３Ｄに対応する個別表示部６３（図１６（ｄ）では５つ全ての個別表示部６３）において、バツを構成するように配置された４つのセグメント６４が点灯する。取引が再度成立すると、これらのセグメント６４が消灯する。
【０１０４】
収納部１２が収容位置から引出位置まで引き出される間において、この収納部１２と左右方向Ｘで同じ位置にある表示部６１では、図１６（ｅ）に示すように、「ＯＰＥＮ」の文字が点滅表示されてもよい。また、収納部１２が引出位置から収容位置まで戻る間において、この収納部１２と左右方向Ｘで同じ位置にある表示部６１では、図１６（ｆ）に示すように、「ＣＬＯＳＥ」の文字が点滅表示されてもよい。
【０１０５】
その他、特許請求の範囲に記載された事項の範囲で種々の設計変更を施すことが可能で
ある。
【符号の説明】
【０１０６】
３      賞品払出装置
１１    装置本体
１２    収納部
１３    天板
１３Ｃ  払出口
３３Ａ  装填口
３３Ｂ  扉
３５    装填部
５０    移動機構
５１    制御部
６１    表示部
Ｐ      賞品
【図１】
2018202045.tif 000003
【図２】
2018202045.tif 000004
【図３】
2018202045.tif 000005
【図４】
2018202045.tif 000006
【図５】
2018202045.tif 000007
【図６】
2018202045.tif 000008
【図７】
2018202045.tif 000009
【図８】
2018202045.tif 000010
【図９】
2018202045.tif 000011
【図１０】
2018202045.tif 000012
【図１１】
2018202045.tif 000013
【図１２】
2018202045.tif 000014
【図１３】
2018202045.tif 000015
【図１４】
2018202045.tif 000016
【図１５】
2018202045.tif 000017
【図１６】
2018202045.tif 000018